(57)【特許請求の範囲】
【請求項１】
カバーの略中央部分に設けられた貫通孔が、引っ張れば薄くなりながら伸びて肌に密着する素材でもって被装着者の頭部が辛うじて通る大きさに形成されており、前記貫通孔に被装着者の頭部を通して被ると、前記カバーが被装着者の腹部と背中に分かれて垂れるカバーとなり、前記腹部側に垂れるカバー部分と背中側に垂れるカバー部分とが、それぞれ上部が開口した袋部に形成され、さらに前記腹部側の袋部を持ち上げて前記貫通孔から被装着者の顔を露出させると、前記貫通孔の周縁がさらに伸びて、被装着者のうなじから耳の下を通って額に至る顔周りの肌に密着し、その状態の前記腹部側の袋部と前記背中側の袋部とが、頭髪を被うことのできる大きさであるカバー。
【請求項２】
前記貫通孔に被装着者の頭部を通して、前記各袋部でもって被装着者の腹部と背中をそれぞれ被った状態の、被装着者の両肩近傍の前記カバーには、該カバーの左右両端から内側に向けて切込みが入れられている請求項１に記載のカバー。
【請求項３】
前記カバーは、略中央部分に前記貫通孔が設けられた略四角形のシートの前側略半分と後側略半分をそれぞれ折って袋状に接合することにより、前記腹部側の袋部と前記背中側の袋部がそれぞれ形成されたものである請求項１又は２に記載のカバー。
【請求項４】
前記袋状に接合される接合面には、合わせ面を着脱自在に接続するファスナーが設けられている請求項３に記載のカバー。
【請求項５】
請求項１から３の何れかに記載の前記貫通孔に被せるシートであって、前記シートには、引っ張れば伸びる薄さを有して、被装着者の頭部が辛うじて通る大きさの第二の貫通孔が形成され、さらに前記第二の貫通孔の外周部分には、前記貫通孔の外周部分と接合するための粘着材が設けられているシート。
【請求項６】
前記シートの前記粘着材が設けられた粘着面には、剥離シートが貼付されている請求項５に記載のシート。
【請求項７】
請求項１から４の何れかに記載のカバーの使用方法であって、前記各袋部の開口側を上に向けて前記カバーの貫通孔に被装着者の頭部を通して被ることにより、上部が開口した各袋部を被装着者の腹部側と背中側にそれぞれ垂らし、その状態で被装着者の頭髪に薬剤を施した後、腹部側に垂らした袋部を持ち上げて、前記貫通孔から被装着者の顔を露出させることにより、前記貫通孔の周縁を被装着者のうなじから耳の下を通って額に至る顔周りに密着させ、続いて背中側に垂らした袋部を、頭部に被せた前記腹部側の袋部からはみ出る頭髪に被せる、あるいは、頭部に被せた前記腹部側の袋部の上に被せて、頭髪全体を包み込むことを特徴とするカバーの使用方法。
【請求項８】
請求項７のカバーの使用方法に続いて、さらに被装着者から左右方向に張り出した部分を後側で、又は、前側の顎下で結び合わせて綴じることを特徴とするカバーの使用方法。
【発明の詳細な説明】
【技術分野】
【０００１】
本発明は、頭髪に薬剤を施すときは、上半身を被うケープとなり、薬剤を施した後は、頭髪全体を保温・保湿して、薬剤の乾燥を防ぐことができる新たなカバーとその使用方法に関する。
【背景技術】
【０００２】
美容室や理容室において、パーマやヘアトリートメント、ヘアカラー等の薬剤を施すときは、薬剤が施された頭髪にヘアキャップを被せたり、食品包装用のラップフイルムを巻いたりする。これは、薬剤の乾燥を防ぎ、頭髪を保温・保湿することによって、薬剤の浸透効果促進させるためである。
【０００３】
そのため、ギャザーにゴム紐の入ったヘアキャップを使用する場合は、ギャザーの口を大きく広げて薬剤の付着した頭髪に被せるが、その際、ギャザーの口にヘアカラー剤が付着したことに気付かずにそのまま被せてしまうと、ヘアカラー剤が顔周りの肌に付着し、それによって肌が染まることがある。そのため、ヘアキャップを被せるときは、ギャザーの口が頭髪に触れないように、ゴム紐を両手で目一杯広げて被せるが、それを一人で行うことは難しく、しばしば他者の助けが必要になる。
【０００４】
また、被せたヘアキャップを取り除くときに、ゴム紐が弾いて、ヘアキャップに付着した薬剤が飛散し、お客様の顔周りや衣服に付着することがある。さらに、ギャザーの隙間からの液漏れを防ぐために、強く調整されたゴム紐が肌に食い込んでお客様に不快な思いをさせたり、顔周りの肌にゴム紐の痕が残ったりする。そうした事情から、ヘアキャップが敬遠され、最近では、それに代わるものとして、食品包装用のラップフイルムが使用されている。しかし、この場合にも、次のような問題が指摘されている。
【０００５】
頭髪に巻き付けられたラップフイルムは、頭髪を包んで薬剤の乾燥を防ぐが、フイルムを巻き付けるときに、薬剤の付着した頭髪に張り付くために、冷暖房機器からの冷風や温風に晒されると、密着した部分が部分的に冷やされたり暖められたりして、薬剤の効きがムラになることがある。そのため、ラップフイルムの上から遠赤外線を照射したり、その上に遠赤外線キャップを被せたりしなければならない煩わしさがある。
【０００６】
また、フイルムロールから引き出されたラップフイルムは、自己粘着力によって互いに付着するため、ラップフイルムを張った状態で頭部に巻き付けなければならないが、そのときは、両手が塞がれるため、生え際から垂れた髪を掻き上げることができず、しばしば他者の助けが必要になる。さらにラップフイルムを頭部に巻き付けるときは、ヘアキャップと同様、髪の生え際に強く巻き付けて、ずれ落ちたり薬剤が漏れ出たりしなように注意するが、それでも生え際の肌の皮脂や汗が付着することにより、それから、ラップフイルムの僅かな隙間に薬剤や、化学反応で生じた水が侵入すると、フイルムの自己粘着力が失われて緩み、それに起因して、付着した薬剤の重みも加わりラップフイルムが頭部からずれ落ちることがある。また、お客様が頭を動かすだけでも、うなじ付近に隙間が生じて緩むことがある。さらに、重なったフイルム端部が見つからず、それを外すのに手間取ることがある。
【０００７】
また、美容室では、薬剤の浸透効果を確認するために、頭髪に巻かれたラップフイルムを部分的に開いて頭髪を露出させることがある。そのときも、フイルムの自己粘着力が失われて、頭部からずれ落ちることがある。それが予期せぬときに起きると、お客様や周囲に薬剤が飛散し、思わぬ事故を招くことがある。また、シャンプー台でラップフイルムを取り除く時も、同様な注意が必要になる。
【０００８】
一方、個人が自宅で髪を染める時やトリートメントを行う時は、ヘアキャップやラップフイルムは、殆ど使用されない。そのため、ヘアカラー剤は、プロ用と違って、頭髪を被わなくても薬剤効果が発揮されるように調整されているが、薬剤が乾燥すると、効き目が損なわれるために、染ムラ、色ムラが生じることがある。また、薬剤塗布後の放置時間中に、ヘアカラー剤で周囲を汚す危険性がある。さらにヘアカラー剤の独特な刺激臭によって不快感を覚えることもある。
【０００９】
また、ヘアカラー剤を使用するときは、衣服への付着を避けるために、ケープを着用するが、その場合でも、薬剤の付着した頭髪が露出しているため、薬剤によって衣服や周囲を汚す危険性もある。それを嫌う場合は、風呂場で染めを行うが、ヘアカラー剤が身体に付着すると、肌が数日間染まることがあり、さらに浴槽や壁に付着すれば、その汚れが落ちない問題がある。
【先行技術文献】
【特許文献】
【００１０】
【特許文献１】特開２００１−３１４２２４号公報
【特許文献２】特開２００２−３２０５１６号公報
【特許文献３】特開２００３−０９３１３６号公報
【特許文献４】特開２００３−０７０５２５号公報
【特許文献５】特開２００３−１８９９２４号公報
【特許文献６】特開２００５−１９４６７８号公報
【特許文献７】特開２００６−２５５２６６号公報
【特許文献８】特開２００９−００７６９２号公報
【特許文献９】特開２０１３−１６２８９７号公報
【特許文献１０】特開２０１６−０２８６６７号公報
【特許文献１１】実開昭４９−６６６３６号のマイクロフイルム
【特許文献１２】実開平１−１４９７１８号のマイクロフイルム
【発明の概要】
【発明が解決しようとする課題】
【００１１】
こうした背景から、上記先行技術文献に開示されるような種々のヘアキャップが開発され、本出願人も、先願（特願２０１８−０９５９１４）として、これまでのヘアキャップやラップフイルムに代わる新たなヘアカバーを出願した。しかし、このヘアカバーは、シートの中央に設けた小さな貫通孔に頭部を通して上半身を被った後、そのシートの腹部側を持ち上げて、貫通孔から顔を露出させるが、このシートの腹部側或いは背中側に垂らした部分が扁平なシートであるため、このシートで頭髪を包み込むには、コツを必要とする問題があった。特に、背中に手や腕を回せない高齢者にとっては、簡単に頭髪を包み込めない問題があった。
【００１２】
本発明は、この問題を解決せんとするもので、前記先願の特徴を活かしながら、さらに一人で、薬剤の付着した頭髪を簡単に包み込むことができる新たなカバーと、その使用方法を提供することを課題とする。
【課題を解決するための手段】
【００１３】
以下、本発明に係るカバーの構成とその使用方法を、図面及び図面代用写真（以下、図と略称する）に基づいて説明する。
＜カバーの基本形態１＞
本発明に係るカバーは、図１に示すように、カバー１の略中央部分に設けられた貫通孔２が、引っ張れば伸びる薄さを有して被装着者の頭部が辛うじて通る大きさに形成され、この貫通孔２に被装着者の頭部を通して被ると、図３、図４に示すように、前記カバー１が被装着者の腹部と背中に分かれて垂れるカバー１となる。この状態のカバー１は、被装着者の両腕を除く上半身が、カバー１で被われた状態となるから、ケープとしての機能を有する。また、この状態の腹部側のカバー部分３ａと背中側のカバー部分３ｂは、それぞれ上部が開口した袋部３になっている。そして、図５に示すように、腹部側の袋部３ａを持ち上げて貫通孔２から被装着者の顔を露出させると、図６のように、貫通孔２の周縁がさらに伸びて、貫通孔２が被装着者のうなじから耳の下を通って額に至る顔周りの肌に密着する。その状態の腹部側の袋部３ａと背中側の袋部３ｂとは、頭部を被うことのできる大きさであることを特徴とする。
【００１４】
図５に示すように、貫通孔２から被装着者の顔を露出させた状態では、腹部側の袋部３ａは、頭部に被せられているから、その上から更に背中側の袋部３ｂを持ち上げて被せれば、前後の袋部３ａ、３ｂでもって頭髪全体を包み込むことができる。その際、各袋部３ａ、３ｂを三角錐にしておけば、三角錐の先端部分が滑り止めになって、頭部に被せた各袋部３ａ、３ｂは、ずれることなく頭髪を被う。したがって、一方がシート、他方が袋部である先願と比べて、両方の袋部を頭巾のように、頭部に被せるだけでそれらを頭部に留めておくことができるから、一人で頭髪を簡単に包み込むことができるカバーとなる。
【００１５】
このカバー１は、例えば手で引っ張れば伸びる薄さのシートで構成されている。具体的には、ポリ袋等に使用されるポリエチレン、ポリプロピレン、ナイロン等を素材とした非吸水性のシートである。このシートは、手で引っ張れば５倍以上は伸びるが、貫通孔２に頭部を通し、その貫通孔２から顔を露出させるには、０．０５ｍｍ以下の薄さのシートが好ましい。また、引っ張って伸びた貫通孔２は、薄くなりながら肌に密着するが、そのときの密着性と締め付け力を考慮すると、女性用としては、０．０３ｍｍから０．０１５ｍｍの薄さのシートでカバーを成形するのが好ましい。
【００１６】
このシートで成形されたカバー１に、汚れ防止用のケープとしての機能を持たせるためには、少なくとも被装着者の腹部と背中を被う大きさとしておく。具体的には、図１に示すように、横幅Ｌ１を７０〜１００ｃｍ、縦幅Ｌ２を６０〜９０ｃｍ程度とし、貫通孔２は、カバー１の略中央部分に設けておく。ただし、貫通孔２の位置を若干ずらせて、一方の袋部３ａ（３ｂ）が他方より下方に垂れるようにしても良い。
【００１７】
貫通孔２の大きさは、被装着者の頭部が辛うじて通る大きさである。例えばポリ袋を素材としたカバー１では、引っ張れば５倍以上は伸びるから、例えば周囲長が５３ｃｍの頭部に対しては、貫通孔２の周囲長を略３８ｃｍとしておく。そうすれば、小さな貫通孔２に頭部を通すときに、貫通孔２が広がるが、伸びた貫通孔２は、若干収縮する。この例では、薄さが０．０３ｍｍのポリ袋で試したが、カバー１の厚みが厚くなる程、貫通孔２の大きさを大きくしておく。例えばカバー１を０．０４ｍｍのポリ袋でカバー１を形成する場合は、貫通孔２の周囲長を略４０ｃｍにしておけば、０．０３ｍｍの薄さと略同程度の抵抗でもって、小さな貫通孔２に頭部を通すことができる。
【００１８】
袋部３は、図１のように水平に置いた状態では、底辺が開口した平面視二等辺三角形の袋となり、図３、図４のように、装着した状態では、底辺が開口した逆三角錐の袋部３となる。この袋部３を、貫通孔２を挟んだ両側に面対称に配置することにより、一方を腹部側の袋部３ａとし、他方を背中側の袋部３ｂとしている。このカバー１は、図１の各袋部３ａ、３ｂの中央部分を摘まんで持ち上げると、図２のような上部が開口した長方形の袋になる。そのため、このカバー１は、四角形のポリ袋を中央線で二分割することにより、簡単に製作することができる。特に各袋部３ａ、３ｂは、頭髪に薬剤を施すときは、垂れる薬剤を受け、頭髪に薬剤を施した後は、頭髪を被うキャップとなるから、袋部３の形状は、逆三角錐でなくても良い。例えば図１の各袋部３ａ、３ｂの一方又は双方を四角形の袋としても良い。
【００１９】
＜カバーの第二の形態＞
図７は、カバー１の第二の形態の外観斜視図を示し、図８は、この第二のカバー１を装着した状態を背中側から見た図面代用写真である。この第二の形態のカバー１は、図８に示すように、一方の袋部３ａを被装着者の腹部側に垂らし、他方の袋部３ｂを被装着者の背中側に垂らした状態のカバー１の両肩近傍に、カバー１の左右両端から内側に向けて切込み３１を入れている。この切込み３１がないカバー１では、被装着者が前屈みになったり、腕を前方に伸ばしたりした場合は、背中側の袋部３ｂの開口部３０が閉じて、肩から垂れる髪が袋部３ｂ内に収まらないことがある。しかし、この切込み３１を入れることにより、図８のように、背中側の袋部３ｂの開口部３０が大きく広がって開くから、鏡を見なくても、後ろに垂れる頭髪を袋部３ｂ内に納めることができる。したがって、この切込み３１は、被装着者のうなじが当る貫通孔２の縁２１を通る鉛直線上に設けておくのが好ましい。また、この切込み３１が入ることにより、背中側の袋部３ｂに衿のような折り返し部５が形成されるから、背中側の袋部３ｂを、頭部に被せた腹部側の袋部３ａの上に被せた場合に、収まりがよくなるメリットがある。
【００２０】
＜カバーの第三の形態＞
以上のカバー１は、四角形のポリ袋を中心線で二分割することによって簡単に製作することができるが、この素材の貫通孔２は、伸びた後、多少は縮むが、元のサイズには戻らないので、繰り返し使用することは難しい。そのため、ポリエチレン素材等で成形したカバー１は、使い捨てを前提にしている。しかし、最近では、プラスチックごみの削減が叫ばれ、その要請に応えるためには、繰り返し使用できるものでなければならない。図９に示すカバー１０は、そうした要請に応えることができるカバー１の一例を示したものである。
【００２１】
このカバー１は、図９に示すように、四角形の厚手のシート１０と、同じく四角形の小さな薄手のシート１１とで構成したもので、厚手のシート１０の略中央部分には、頭部が楽に通る大きな貫通孔２０を開けている。そして、その厚手シート１０の両側短辺の上半分と下半分には、それぞれファスナー３２ａ、３２ｂを取り付けている。このファスナー３２ａ、３２ｂは、例えば面ファスナーや、開閉自在なチャックである。そして、厚手のシート１０の四隅を図９の破線で示す谷折れ線３３で矢印方向に折り返し、重なり合った上半分の短辺と下半分の短辺とをファスナー３２ａ、３２ｂで連結すれば、図１に示す形状のカバー１を形成することができる。これにより、厚手のシート１０を洗浄したり、干したりするときは、ファスナー３２ａ、３２ｂの連結を解いて一枚のシートにすれば、乾燥が促進され、使い勝手の良いシート１０になる。また、子供の髪を散髪するときのケープとしても使用することができる。
【００２２】
また、この厚手のシート１０の略中央部分に、頭部が辛うじて通る大きさの貫通孔２を設けても良いが、繰り返し使用すると、貫通孔２が伸びて顔周りの肌に密着しなくなるから、手で引っ張れば伸びる薄さの、例えば３０ｃｍ四方の薄いシート１１を別途用意し、そのシート１１の中央部分に、頭部が辛うじて通る大きさの第二の貫通孔２ａを設けておく。また、第二の貫通孔２ａの外周部分、例えば薄いシート１１が、図９に示すような四角形である場合は、そのシート１１の四辺に粘着材や両面テープ等の接合材１２を貼付しておく。そして、その薄いシート１１を厚手のシート１０の大きな貫通孔２０の上に被せて、両者を接合材１２で接合する。このとき、薄いシート１１の第二の貫通孔２ａと、厚手のシート１０の大きな貫通孔２０とが同軸上で重なるように重ね合わせて接合する。こうすれば、使用によって第二の貫通孔２ａが伸びたとしても、新たな薄いシート１１と取り替えることにより、繰り返し使用することができる。
【００２３】
厚手のシート１０は、例えばポリエチレンや、ポリエステル、ポリウレタン等の素材で構成することができる。また、薄いシート１１は、例えば手で引っ張れば伸びる薄さのポリエチレンシートで構成することができる。しかし、これらには限定されず、薄いシート１１を例えば医療用の薄手のゴムシートで構成しても良い。
実用化に際しては、厚手のシート１０に対し、薄いシート１１を複数枚用意し、薄いシート１１の第二の貫通孔２ａの外周に設ける接合材(粘着面）１２に剥離シートを貼付しておき、使用に際しては、その剥離シートを剥がして、厚手のシート１０の貫通孔２０に被せて接合できるようにしておく。こうすれば、薄いシート１１を取り替えて使用することで、厚手のシート１０を繰り返し使用することができる。
【００２４】
＜カバーの使用方法の発明＞
図１、図７のカバー１を使用するときは、各袋部３ａ、３ｂの開口部３０を上に向けてカバー１の貫通孔２に被装着者の頭部を通して被る。そうすると、図３、図４、図８に示すように、上部が開口した袋部３ａ、３ｂが被装着者の腹部側と背中側に分かれて垂れるから、カバー１が汚れ防止用のケープとなる。この状態で、被装着者の頭髪にヘアカラー剤やトリートメント剤等の薬剤を施した後、図５に示すように、腹部側に垂らした袋部３ａを持ち上げて、貫通孔２から被装着者の顔を露出させる。このとき、貫通孔２のうなじ側は、伸びながら束になり、貫通孔２の前側は、顔で押し広げられて、図６のように、平面的に広がった状態で顔周りの肌に密着する。このときの貫通孔２の締め付け力は、不快感を覚えるような強いものではなく、それが伸びて薄くなったことにより、適度な強さと幅とでもって肌に密着する。
【００２５】
続いて図１０に示すように、背中側の袋部３ｂを腹部側の袋部３ａからはみ出る頭髪に被せるか、あるいは、図１１に示すように、頭部に被せた袋部３ａの上から背中側の袋部３ｂを被せて頭髪全体を包み込む。
【００２６】
図９に示す厚手の防水シート１０と薄いシート１１とで構成されるカバー１でも、同様の手順でもって頭髪全体を包み込むことができる。その際、厚手のシート１１で袋部３が形成されているので、各袋部３ａ、３ｂの開口部３０は、閉じずに開いたままになり、それらで薬剤を受けたり、背中側の袋部３ｂで後ろ髪を受けたりすることができる。また、薬剤を施した後は、図５に示すように、腹部側に垂らした袋部３ａを持ち上げて、第二の貫通孔２ａから被装着者の顔を露出させれば、腹部側の袋３ａで頭髪を被った状態になるから、その上から背中側の袋部３ｂを持ち上げて頭部に被せれば、簡単に頭髪全体を包み込むことができる。
【００２７】
また、図１に示すカバー１を使用して、頭髪を包み込んだ状態では、図１０に示すように、左右に張り出した部分４が邪魔になるから、図１２に示すように、左右に張り出した部分４を後側で結んだり、図１３のように、前側に回して顎下で結んだりしても良い。これにより、頭髪を包み込んだカバー１をコンパクトに纏めることができる。
【発明の効果】
【００２８】
本発明によれば、これまでのヘアキャップのように上から頭に被せるのではなく、ケープのように被装着者の上半身を被った状態から、腹部側の袋部を持ち上げて貫通孔から顔を露出させるから、貫通孔の周縁を薬剤の付着した頭髪に接触させずに、貫通孔の周縁をうなじから額までの顔周りの肌に密着させることができる。さらに、その状態から、背中側の袋部を、頭部に被せた腹部側の袋部の上にさらに被せて、頭髪全体をコンパクトに包み込むことができるから、薬剤の付着した頭髪の包み込み作業が極めて簡単にできる。
【００２９】
また、貫通孔に頭部を通して被れば、カバーが被装着者の腹部と背中を被って、頭髪に薬剤を施すときの汚れ防止用のケープとなる。また、袋部内に頭髪を納めて薬剤を施すことができるから、例え薬剤が飛び散ったり、頭髪から垂れたりしても、袋部内に溜めて周囲への飛散を防止することができる。さらに、頭髪から垂れる薬剤は、袋部内に集めて回収することもできるから、頭髪に薬剤を流し掛ける等の施術も可能になる。
【００３０】
また、このカバーの貫通孔は、引っ張れば伸びる薄いシートで形成され、特に頭部の周囲長よりも小さな貫通孔から顔を露出させて、貫通孔の周縁を被装着者のうなじから耳の下を通って額に至る顔周りの肌に密着させるから、頭髪に施した薬剤から水分が出ても、それを顔やうなじに漏出させない効果がある。しかも、伸びた反動で縮もうとするときの貫通孔の締付力は、不快感を覚えるような強いものではないから、袋部を頭に被せた状態でも、違和感なく長時間放置することができる。
【００３１】
さらに、このカバーは、折り畳んだ状態では、扁平な略長方形になるから、チューブ状フイルムから安価に量産でき、使い捨てもできる。また、カバーを、厚手のシートと、小さな薄いシートを着脱自在に貼り合わせて形成し、使用に際しては、薄いシートの交換だけで済むから、厚手のシートを繰り返し使用することができる。
【００３２】
加えて、顔周りに密着した貫通孔は、適度なテンションと幅とでもって肌に密着するから、着ていたＴシャツを脱いでも、カバーが一緒に外れることはない。したがって、前開きの服に着替えるのを忘れて髪染めを始めても、慌てることなく作業を進めることができる。
【図面の簡単な説明】
【００３３】
【図１】本発明に係るカバーを水平に置いてときの外観説明図。
【図２】図１のカバーを鉛直方向に立てたときの外観説明図。
【図３】カバーの貫通孔に頭部を通して被った状態の正面から見た図面代用写真。
【図４】図３の装着されたカバーを側面から見た図面代用写真。
【図５】貫通孔から顔を露出させる様子の図面代用写真。
【図６】貫通孔の周縁が顔周りに密着した状態を示す図面代用写真。
【図７】本発明の第二の形態に係るカバーの外観斜視図。
【図８】図７のカバーをケープとして装着したときの背中側から見た図面代用写真。
【図９】本発明の第三の形態に係るカバーの展開平面図。
【図１０】本発明に係るカバーでもって頭髪を包み込んだ状態の図面代用写真。
【図１１】図１０の背中側の袋部をさらに頭部に被せた状態の図面代用写真。
【図１２】図１０の左右に張り出した部分を後側で結んだ状態の図面代用写真。
【図１３】図１０の左右に張り出した部分を顎下で結んだ状態の図面代用写真。
【図１４】本発明に係るカバーの他の実施形態の外観斜視図。
【図１５】図１４に示すカバーにさらに改良を加えた実施形態の外観斜視図。
【発明を実施するための形態】
【００３４】
以下、本発明のカバーの実施形態を図面と図面代用写真とに基づいて説明する。なお、以下の説明では、これまで説明しなかった点を特に説明する。
【００３５】
カバー１は、種々の形状を取り得るが、貫通孔２は、被装着者の頭部が辛うじて入る大きさであり、そこに頭部を入れて被った状態から、カバー１の前側を引き上げながら貫通孔２から顔を露出させると、貫通孔２の周縁がさらに伸びて、被装着者のうなじから耳の下を通って額に至る顔周りに密着する形状でなければならない。このような、伸展性のある薄いシートとしては、ポリエチレンやポリプロピレン等から成形されたポリ袋がある。そこで、このポリ袋を使って、どの程度の伸びがあれば、適度な強さで顔周りに密着するかを、種々の厚さのポリ袋でもって実験した。
【００３６】
実験に際しては、厚さが０．００８ｍｍ、０．０１５ｍｍ、０．０２５ｍｍ、０．０３ｍｍの透明なポリ袋と半透明なポリ袋を購入し、それぞれに円周３８ｃｍの貫通孔を形成した。この貫通孔を被装着者の頭部に通すときの頭（頭髪を含む）サイズは、５３ｃｍ、貫通孔から顔を露出させて、うなじから耳の下を通って額に至る顔周りに沿わせるときの円周長さは、５６ｃｍである。その条件で、円周３８ｃｍの貫通孔に頭部を通し、続いてその貫通孔から顔を露出させる実験を行った。その結果を表１に示す。
【００３７】
【表１】
0006603391.tif 000002
【００３８】
この実験から、ポリ袋で作ったカバー１は、透明シートの方が半透明シートより良く伸びて、密着性に優れているが、半透明シートは、腰が強く、特に袋部３ａ、３ｂを形成したときに、開口部３０を開いたままに保持し易い。したがって、開口部３０を積極的に開かせたいときは、半透明シートが好ましく、そうでないときは、透明シートの方が好ましい。また、厚さが０．０４ミリメートル以上のシートになると、貫通孔２から顔を露出させるときに、かなりの抵抗を感じるから、厚手のシートを使用するときは、頭部サイズに合わせて貫通孔２を大きくしておく必要がある。
【００３９】
なお、ここで使用したポリ袋は、一例であって、例えば柔軟性、ゴム弾性に優れたＥＶＡ樹脂（エチレンビニールアセタートコポリマー）やそれを添加したポリエチレンシート等でも良いが、これらは、厚みや伸びも異なるから、それらの中から適宜なものを選択して使用すればよい。
また、第三の形態のカバー１を構成するときは、薄いシート１１を医療用の手袋等に使用する薄いゴムシートで構成しても良い。このゴムシートも、若干伸びた状態で顔周りの肌に密着するから、薬剤の化学反応で生じた水分や薬剤が、貫通孔２から漏れ出ることはない。
【００４０】
図１４は、図７の形態のカバー１を改良したもので、この実施形態では、腹部側の袋部３ａと、背中側の袋部３ｂとの間に、図７の切込み３１よりも、さらに大きな切欠き３２を設けている。この切欠き３２を設けることにより、腹部側の袋部３ａには、左右に紐３４ができ、この紐３４が、袋部３ａを頭部に被せたときに、被装着者の後頭部に位置するようになっている。したがって、この一対の紐３４を後頭部で結べば、図１０に示すように、被装着者の側頭部付近から左右に張り出す部分４が無くなるから、頭部に被せた袋部３ａをよりコンパクトに纏めることができる。また、背中側の袋部３ｂにも、より大きな紐３５が形成されているが、この紐３５は、ショールのように被装着者の肩に掛けることができるので、肩に掛かった状態の紐３５を、衿を立てるように折り返せば、頭部に被せた袋部３ａからはみ出た頭髪を、折り返して立てた紐３５でもって被うことができる。このとき、紐３５の両端を顎下で結んでも良いが、前側の袋部３ａだけで頭髪を包み込むことができる場合は、後側の紐３５をショールのように、肩に掛けておくだけでも良い。
【００４１】
なお、図１４のアルファベットを付した寸法の一例を示すと、下記の通りである。
Ａ：１１０ｍｍ            Ｂ：２５５ｍｍ
Ｃ：３００ｍｍ            Ｄ：１２０ｍｍ
Ｅ：４５５ｍｍ            Ｆ：３００ｍｍ
Ｇ：１６５ｍｍ            Ｈ：２００ｍｍ
Ｉ：４５５ｍｍ            Ｊ：１４５ｍｍ
Ｋ：２４０ｍｍ
【００４２】
図１５は、図１４の形態のカバー１の紐３４を無くして、腹部側の袋部３ａを頭巾状に成形したものである。この形態の袋部３ａを頭部に被せると、図１０に示すような、左右の張り出し部分４を無くすことができる。したがって、袋部３ａを頭部に被せるだけで、頭部に纏めた薬剤の付着する頭髪全体を完全に包み込むことができる。この場合の背中側の袋部３ｂは、ショールのように、肩に掛けたままであっても良い。
なお、図１４、図１５において、太線で示した縁の部分は、連結されて開かないようになっている。また、図１５のカバーは、図１４に示すカバーと略同じ大きさである。
【符号の説明】
【００４３】
１      カバー
２      貫通孔
３      袋部
１０      厚手のシート
１１      貫通孔２に被せるシート
１２      接合材
２ａ      第二の貫通孔
３ａ      腹部側の袋部
３ｂ      背中側の袋部
３１      切込み
３２ａ    ファスナー
３２ｂ    ファスナー
【要約】      （修正有）【課題】ヘアカラー剤やトリートメント剤等の薬剤を施すときは、ケープとなり、薬剤を施した後は、薬剤の付着した頭髪を簡単に包み込むことができる新たなカバーと、その使用方法を提供する。【解決手段】カバー１の略中央部分に設けられた貫通孔２が、引っ張れば伸びる薄さを有して、被装着者の頭部が辛うじて通る大きさに形成され、前記貫通孔２に被装着者の頭部を通して被ると、前記カバー１が被装着者の腹部と背中に分かれて垂れるカバー１となり、前記腹部側に垂れるカバー部分と背中側に垂れるカバー部分とが、それぞれ上部が開口した袋部に形成され、さらに前記腹部側の袋部３ａを持ち上げて前記貫通孔２から被装着者の顔を露出させると、前記貫通孔の周縁がさらに伸びて、被装着者のうなじから耳の下を通って額に至る顔周りの肌に密着するカバー１である。【選択図】図１【図１】
0006603391.tif 000003
【図２】
0006603391.tif 000004
【図３】
0006603391.tif 000005
【図４】
0006603391.tif 000006
【図５】
0006603391.tif 000007
【図６】
0006603391.tif 000008
【図７】
0006603391.tif 000009
【図８】
0006603391.tif 000010
【図９】
0006603391.tif 000011
【図１０】
0006603391.tif 000012
【図１１】
0006603391.tif 000013
【図１２】
0006603391.tif 000014
【図１３】
0006603391.tif 000015
【図１４】
0006603391.tif 000016
【図１５】
0006603391.tif 000017